(57)【要約】【課題】  １６：９にて撮影可能なデジタルビデオカメラにおいて、ＪＰＥＧ画像／ＭＰＥＧ画像に於いても１６：９にて撮影し、ワイドテレビにて良好な再生が可能な方法を提供する。【解決手段】  記録画像の画像サイズの選択として４：３の比率の画像サイズならびに１６：９の比率の画像サイズを選択することができる画像サイズ選択手段により選択された画像サイズの画像データに画像サイズ情報を付加して記録を行い、記録された画像データを再生する場合に於いては、画像データに付加された画像サイズ情報により映像信号にアスペクト識別信号を付加することによりワイドテレビにても良好な表示を行う。【選択図】        図５
2006067175.tif 000002
【特許請求の範囲】
【請求項１】
画像サイズ情報が付加されている画像データの再生を行う画像記録再生装置に於いて、外部画像表示装置への画像信号出力手段および前記画像信号へのアスペクト識別信号付加手段を有し、再生を行う画像データを前記画像信号出力手段へ出力を行う場合には、前記画像データに付加される画像サイズから、画像サイズ縦横比の判断を行いアスペクト比識別信号の出力制御を行うことを特徴とする画像記録再生装置。
【請求項２】
請求項１において、記録画像の画像サイズの選択を行う画像サイズ選択手段を有し、前記画像サイズ選択手段には４：３の比率の画像サイズならびに１６：９の比率の画像サイズ選択項目を含み、前記画像サイズ選択手段にて選択された画像サイズにより記録を行うと共に、記録画像データにサイズ情報を付加して記録することを特徴とする画像記録再生装置。
【請求項３】
請求項１において、前記画像サイズ情報は画素数情報であることを特徴とする画像記録再生装置。
【請求項４】
請求項１において、画像サイズの縦横比が１６：９相当である場合にはアスペクト識別信号付加手段にて１６：９情報を付加することを特徴とする画像記録再生装置。
【発明の詳細な説明】
【技術分野】
【０００１】
本発明は、アスペクト比を１６：９にて静止画または動画の記録再生可能な、デジタルカメラおよびカメラ一体型レコーダー（ビデオカメラ）等の画像記録再生装置に関するものである。
【背景技術】
【０００２】
従来、ワイドテレビの普及に伴い、デジタルビデオカメラでは撮影モードして、４：３および１６：９のアスペクト比でテープやディスクに記録を行う方法がとられている。
【０００３】
ワイドアスペクト対応のワイドテレビであれば入力されたビデオ信号のブランキング内にこのＶＢＩＤ（Ｖｉｄｅｏ  Ｂｌａｎｋｉｎｇ  ＩＤ）信号を検出すると４：３モードから１６：９モードの走査に切り替えを行う。
【０００４】
前記の撮影モードは使用者が撮影モードとして設定可能であり、記録される画像データと共に、アスペクト比情報もテープやディスクに記録される。
【０００５】
テープやディスクに記録された映像の再生時に於いてはテープやディスクから再生されるアスペクト比情報により記録されている映像のアスペクト比を検出し、１６：９での撮影モードで撮影されている映像であればワイドテレビなどへの識別信号としてＶＢＩＤ信号を出力している。
【０００６】
またビデオカメラに着脱可能なメモリーカードを装着しデジタルカメラの機能を付加するビデオカメラも普及してきている。
【０００７】
テープやディスクに記録可能なカメラ撮影モード／カードに記録可能なカードカメラ撮影モードの撮影モードを備え、前記カードカメラ撮影モードに於いては使用者がメモリーカードに記録する画像サイズ（ＶＧＡサイズやＸＧＡサイズ）を選択してメモリーカードへ静止画像としてＪＰＥＧ記録を行ったり、メモリーカードへの動画記録としてのＭＰＥＧ記録（ＣＩＦサイズやＱＣＩＦサイズ）を行ったりしている。
【０００８】
各々の記録媒体の再生に於いても、テープやディスクを再生する再生モード／メモリーカードの画像を再生するカード再生モードを備えており、使用者が再生する記録媒体を選択して再生を行わせることもできる。
【特許文献１】特開平７−２６４５３８号公報
【発明の開示】
【発明が解決しようとする課題】
【０００９】
しかしながら、上記従来例に於けるビデオカメラでは、カードカメラ撮影モードでは、カードに記録する画像サイズがＶＧＡやＸＧＡ等、画像サイズが４：３の画像サイズであるために、メモリーカードの画像をワイドテレビにて表示を行う場合に於いては画像の一部をクリップして表示が行われたり、１６：９のテレビ画面のなかに４：３の画像を縮小して表示していた（図５  ４：３画像表示例）。
【００１０】
本発明は上述の問題点に着目してなされたものであって、１６：９にて撮影可能なデジタルビデオカメラにおいてＪＰＥＧ画像／ＭＰＥＧ画像においても１５:９にて撮影し、ワイドテレビにて良好な再生が可能な画像記録再生装置の提供を目的とする。
【課題を解決するための手段】
【００１１】
前述の課題を解決するため、本発明の記録再生装置は、その第一の発明として以下の構成を備える。
【００１２】
（１）画像サイズ情報が付加されている画像データの再生を行う画像記録再生装置に於いて、外部画像表示装置への画像信号出力手段および前記画像信号へのアスペクト識別信号付加手段を有し、再生を行う画像データを前記画像信号出力手段へ出力を行う場合には、前記画像データに付加される画像サイズから、画像サイズ縦横比の判断を行いアスペクト比識別信号の出力制御を行うことを特徴とする画像記録再生装置。
【００１３】
また、ワイドテレビに対応した画像データの記録再生方法として、記録画像の画像サイズの選択として４：３の比率の画像サイズならびに１６：９の比率の画像サイズを選択することができる画像サイズ選択手段、再生しようとする画像に付加された画像データのサイズ情報によりアスペクト比識別信号を出力するアスペクト比識別信号出力手段を有する画像記録再生装置である。
【発明の効果】
【００１４】
本発明の画像記録再生装置によれば、前記カードカメラ撮影モードにおいて、画像サイズ選択手段により記録画像の画像サイズの選択として４：３の比率の画像サイズならびに１６：９の比率の画像サイズ選択項目により記録する画像サイズの選択が行え、記録する画像データサイズを４：３のみでなく１６：９の画像サイズの画像を記録することが可能となる。
【００１５】
また記録時に前記画像サイズ情報を画像データに付加して記録を行うことで、記録した画像データの再生を行うカード再生モードに於いては、前記画像データに付加された画像サイズ情報を用いることにより画像データの縦横比の判断を行い、１６：９にて記録を行った場合に於いても、映像信号と共にＶＢＩＤ信号をワイドテレビへ出力することにより良好に表示を行わせることのできる画像記録再生装置を提供できる。
【発明を実施するための最良の形態】
【００１６】
以下に、本発明を実施するための最良の形態を、実施例に基づいて説明する。
【実施例１】
【００１７】
図１は本発明の特徴を最もよく表す画像記録再生装置の図面であり同図において、Ｍ１は記録再生可能なＤＶＤディスク、Ｍ２は記録再生可能なメモリーカード、Ｃ１は被写体を映像信号に変換する撮像装置（撮像部）、Ｂ２は各部の制御を行うシステムコントローラー、Ｂ４は撮像装置Ｃ１の映像信号の処理を行う撮像画像処理回路、Ｂ１は撮像画像処理回路Ｂ４において処理された映像信号、ディスクやメモリーカードへの記録、ディスクやメモリーカードから再生された画像データの処理を行う、記録再生データ処理回路、Ｂ５はメモリーカードＭ２のコントロールを行うＳＤ／ＭＭＣカードコントローラー、Ｂ３は画面表示用の文字信号発生回路、Ｂ６は記録再生データ処理回路Ｂ１にて処理された画像データをビデオ信号に変換すると共にアスペクト比情報を付加するＶＢＩＤ信号付加の処理を行う映像信号処理回路、Ｖ１は撮影画像の表示や再生画像の表示を行う液晶パネル、ＳＷ１〜ＳＷ４は画像記録再生装置の操作を行う操作スイッチである。
【００１８】
本図に於いて、記録時に於けるカメラ部にて撮像される静止画画像は、レンズ系より撮像装置Ｃ１としてのＣＣＤに結像され電気画像信号に変化され、撮像処理回路に於いて所定の撮像処理が施された画像データとして記録再生データ処理回路Ｂ１へ入力され該記録再生データ処理回路Ｂ１にてＪＰＥＧ圧縮／ＥＸＩＦヘッダ情報を付加しＥＸＩＦファイルフォーマットにて記録媒体であるＤＶＤディスクＭ１やメモリーカードＭ２に記録される。撮影される静止画画像データは映像信号処理回路にてビデオ信号に変換される。
【００１９】
図３はＥＸＩＦフォーマットにおけるファイル構造を示す図であり、本発明に於ける画像サイズ情報は、本図でのＴａｇおよびＤａｔａにて示され、画像データサイズはＷｉｄｔｈサイズを示すＴａｇコード（０ｘ１００）／Ｈｉｇｈｔサイズを示すＴａｇコード（０ｘ１０１）のＤａｔａにて示される。
【００２０】
記録時に於いては上記のＥＸＩＦフォーマットに定義されるＴａｇ情報として画像サイズが画像データと共に記録され、記録モードが１６：９モードであればワイドアスペクト情報（ＶＢＩＤ信号）の付加処理を行い、ビデオ信号としてビデオ信号出力端子や液晶パネルに出力される。
【００２１】
再生時においては記録されたＴａｇ情報により画像サイズの判別を行い、画像サイズ情報が１６：９相当であればワイドアスペクト情報（ＶＢＩＤ信号）の付加処理を行い、ビデオ信号としてビデオ信号出力端子や液晶パネルに出力される。
【００２２】
なお、１６：９相当と判断する画像サイズ情報の範囲としてはＷｉｄｔｈ：Ｈｉｇｈｔの比率がおおむね１６：９であり、１５：９／１４：９・１３：９等も１６：９相当と判断している。
【００２３】
図６は本発明を実施した画像記録再生装置の制御を行うシステムコントロール部のマイクロコンピュータのフローチャートである。このフローチャートに従い図１の画像記録再生装置の動作を説明する。
【００２４】
まず撮影モードにつき説明を行う。メニューの操作は図１に於けるスイッチＳＷ１〜ＳＷ４にて行う。
【００２５】
撮影モードでは記録待機状態にて記録モード／画像サイズの変更が可能である。
【００２６】
［Ｓ０１］
記録モードの選択を行う場合には図２−１に示すように、記録モード選択メニューが表示される。
【００２７】
［Ｓ０２］
操作スイッチにより１６：９および４：３にての記録モードの選択を行うことが出来る。
【００２８】
［Ｓ０３］
画像サイズの選択を行う場合には図２−１に示すように、画像サイズ選択メニューが表示さる。
【００２９】
［Ｓ０４］
画像サイズ選択メニューでは記録モードの選択により選択できる画像サイズは、記録モードが１６：９であれば選択項目として、１６００×９００または８００×４５０が選択可である。記録モードが４：３であれば選択項目として、１６００×１２００または８００×６００が選択可である。
【００３０】
［Ｓ０５］［Ｓ０６］
記録モードにて１６：９の記録モードが選択されると、映像信号処理回路Ｂ６にてワイドアスペクト情報であるＶＢＩＤ信号付加処理を行うことにより、撮影時に於いてもワイドモニターにて良好な画像の表示を行うことが可能である。
【００３１】
［Ｓ０７］
操作スイッチにより記録開始の操作が行われると［Ｓ０８］に分岐し、記録開始処理を行い、操作がされないと［Ｓ０１］に分岐し、記録待機状態となる
［Ｓ０８］
記録開始の操作により、カメラ部にて撮像される画像は、レンズ系より撮像装置としてのＣＣＤに結像され電気画像信号に変化され、撮像画像処理回路Ｂ４に於いて所定の撮像処理が施された画像データとして、記録再生データ処理回路Ｂ１へ入力される。
【００３２】
［Ｓ０９］［Ｓ１０］［Ｓ１１］［Ｓ１２］
記録再生データ処理回路Ｂ１において画像データのＪＰＥＧ圧縮処理を行い、撮影条件の情報と共に画像サイズ情報がＥＸＩＦ情報として作成され、図３に示すようにＥＸＩＦフォーマットに変換され、記録媒体であるＤＶＤディスクまたはメモリーカードに記録される。
【００３３】
つぎに再生モードにつき説明を行う。
【００３４】
［Ｓ２０］
再生モードでは画像の再生を行う。操作スイッチにより画像再生の操作が行われると［Ｓ２５］へ分岐し画像の再生を行う。
【００３５】
［Ｓ２１］［Ｓ２２］［Ｓ２３］［Ｓ２４］
操作スイッチにより再生する画像を、選択することができ、現在再生中の画像を基準にして、前の画像／次の画像を選択し再生を行える。
【００３６】
［Ｓ２５］［Ｓ２６］［Ｓ２７］［Ｓ２８］
選択されている画像の再生操作が行われると、記録されている画像データを読み出し、ＪＰＥＧ画像はビデオ出力のためのビデオ信号に変換されると共に、記録されたＥＸＩＦ情報の解析を行い、Ｔａｇ情報の画像サイズ情報からＷｉｄｔｈ：Ｈｉｇｈｔの比が１６：９相当であればワイドアスペクト情報（ＶＢＩＤ信号）の付加処理を行い、ビデオ信号としてビデオ信号出力端子Ｖ２や液晶パネルＶ１に出力される
【実施例２】
【００３７】
本実施例に於ける構成例は実施例１と同様であるためここでは省略する。
【００３８】
図１に於いて、記録時に於けるカメラ部にて撮像される動画画像は、レンズ系より撮像装置としてのＣＣＤに結像され電気画像信号に変化され、撮像画像処理回路Ｂ４に於いて所定の撮像処理が施された画像データとして記録再生データ処理回路Ｂ１へ入力され該記録再生データ処理回路Ｂ１にてＭＰＥＧ圧縮／ＡＳＦヘッダ情報を付加しＡＳＦファイルフォーマットにて記録媒体であるＤＶＤディスクＭ１やメモリーカードＭ２に記録される。撮影される動画画像データは映像信号処理回路Ｂ６にてビデオ信号に変換されると共に、記録モードが１６：９モードであればワイドアスペクト情報（ＶＢＩＤ信号）の付加処理を行い、ビデオ信号としてビデオ信号出力端子Ｖ２や液晶パネルＶ１に出力される。
【００３９】
図４はＡＳＦフォーマットにおけるファイル構造を示す図であり、本発明に於ける画像サイズ情報は、本図でのＥｎｃｏｄｅＩｍａｇｅＷｉｄｔｈ／ＥｎｃｏｄｅＩｍａｇｅＨｉｇｈｔにて示される。
【００４０】
記録時に於いては上記のＡＳＦフォーマットに定義されるＥｎｃｏｄｅＩｍａｇｅＷｉｄｔｈ／ＥｎｃｏｄｅＩｍａｇｅＨｉｇｈｔ情報として画像サイズがストリーム画像データと共に記録され、記録モードが１６：９モードであればワイドアスペクト情報（ＶＢＩＤ信号）の付加処理を行い、ビデオ信号としてビデオ信号出力端子Ｖ２や液晶パネルＶ１に出力される。
【００４１】
ストリーム画像データの再生時においては記録されたＥｎｃｏｄｅＩｍａｇｅＷｉｄｔｈ／ＥｎｃｏｄｅＩｍａｇｅＨｉｇｈｔ情報により画像サイズの判別を行い、画像サイズ情報が１６：９相当であればワイドアスペクト情報（ＶＢＩＤ信号）の付加処理を行い、ビデオ信号としてビデオ信号出力端子２や液晶パネル１に出力される。
【００４２】
なお、１６：９相当と判断する画像サイズ情報の範囲としてはＷｉｄｔｈ：Ｈｉｇｈｔの比率がおおむね１６：９であり、１５：９／１４：９・１３：９等も１６：９相当と判断している。
【００４３】
図７は本発明を実施した画像記録再生装置の制御を行うシステムコントロール部のマイクロコンピュータのフローチャートであるこのフローチャートに従い図１の画像記録再生装置の図７における動作を説明する。
【００４４】
まず撮影モードにつき説明を行う。メニューの操作は図１に於けるスイッチにて行う。撮影モードでは記録待機状態にて記録モード／画像サイズの変更が可能である。
【００４５】
［Ｓ３１］
記録モードの選択を行う場合には図２−２のように、記録モード選択メニューが表示される。
【００４６】
［Ｓ３２］
操作スイッチにより１６：９および４：３にての記録モードの選択を行うことが出来る。
【００４７】
［Ｓ３３］
画像サイズの選択を行う場合には図２−２に示すように、画像サイズ選択メニューが表示さる。
【００４８】
［Ｓ３４］
画像サイズ選択メニューでは、記録モードの選択により選択できる画像サイズは、記録モードが１６：９であれば選択項目として、６４０×３６０または３２０×１８０が選択可である。記録モードが４：３であれば選択項目として、６４０×４８０または３２０×２４０が選択可である。
【００４９】
［Ｓ３５］［Ｓ３６］
記録モードにて１６：９の記録モードが選択されると、映像信号処理回路Ｂ６にてワイドアスペクト情報であるＶＢＩＤ信号付加処理を行うことにより、撮影時に於いてもワイドモニターにて良好な画像の表示を行うことが可能である。
【００５０】
［Ｓ３７］
操作スイッチにより記録開始の操作が行われると［Ｓ３８］に分岐し、記録開始処理を行い、［Ｓ４３］にて記録一時停止操作がされるまで記録を行い、記録の終了にて［Ｓ３１］に分岐し、記録待機状態となる。
【００５１】
［Ｓ３８］
記録開始の操作により、カメラ部にて撮像される画像は、レンズ系より撮像装置としてのＣＣＤに結像され電気画像信号に変化され、撮像画像処理回路Ｂ４に於いて所定の撮像処理が施された画像データとして記録再生データ処理回路Ｂ１へ入力される。
【００５２】
［Ｓ３９］［Ｓ４０］［Ｓ４１］［Ｓ４２］
記録再生データ処理回路Ｂ１において画像データのＭＰＥＧ圧縮処理を行い、撮影条件の情報と共に画像サイズ情報がＥｎｃｏｄｅＩｍａｇｅＷｉｄｔｈ／ＥｎｃｏｄｅＩｍａｇｅＨｉｇｈｔ情報として作成され、図４に示すＡＳＦフォーマットに変換され、記録媒体であるＤＶＤディスクＭ１またはメモリーカードＭ２に記録される。
【００５３】
つぎに再生モードにつき説明を行う。
【００５４】
［Ｓ５０］
再生モードでは画像の再生を行う。操作スイッチにより画像再生の操作が行われると［Ｓ５５］へ分岐し画像の再生を行う。
【００５５】
［Ｓ５１］［Ｓ５２］［Ｓ５３］［Ｓ５４］
操作スイッチにより再生する画像を、選択することができ、現在再生中の画像を基準にして、前の画像／次の画像を選択し再生を行える。
【００５６】
［Ｓ５５］［Ｓ５６］［Ｓ５７］［Ｓ５８］
選択されている画像の再生操作が行われると、記録されている画像データを読み出し、ＭＰＥＧ画像はビデオ出力のためのビデオ信号に変換されると共に、記録されたＥｎｃｏｄｅＩｍａｇｅＷｉｄｔｈ／ＥｎｃｏｄｅＩｍａｇｅＨｉｇｈｔ情報の解析を行い、ＥｎｃｏｄｅＩｍａｇｅＷｉｄｔｈ／ＥｎｃｏｄｅＩｍａｇｅＨｉｇｈｔ情報の画像サイズ情報からＷｉｄｔｈ：Ｈｉｇｈｔの比が１６：９相当であればワイドアスペクト情報（ＶＢＩＤ信号）の付加処理を行い、ビデオ信号としてビデオ信号出力端子Ｖ２や液晶パネルＶ１に出力される
【図面の簡単な説明】
【００５７】
【図１】本発明の実施例を示す画像記録再生装置のブロック図
【図２−１】本発明の実施例１における記録モード／画像サイズのメニュー画面例を示す図
【図２−２】本発明の実施例２における記録モード／画像サイズのメニュー画面例を示す図
【図３】本発明の実施例１における静止画画像ファイルの構造図
【図４】本発明の実施例２における動画画像ファイルの構造図
【図５】本発明の実施例を示す画像記録再生装置の効果例
【図６】本発明の実施例１を示すマイコンのフローチャート
【図７】本発明の実施例２を示すマイコンのフローチャート
【符号の説明】
【００５８】
Ｃ１  撮像装置（撮像部）
Ｂ１  記録再生データ処理回路
Ｂ２  システムコントローラー
Ｂ３  文字信号発生回路
Ｂ４  映像信号の処理を行う撮像画像処理回路
Ｂ５  ＳＤ／ＭＭＣカードコントローラー
Ｂ６  映像信号処理回路（ビデオ信号処理／ＶＢＩＤ信号付加回路）
Ｖ１  液晶パネル
Ｖ２  ビデオ信号出力端子
Ｍ１  ＤＶＤディスク
Ｍ２  メモリーカード
ＳＷ１〜ＳＷ４  操作スイッチ
【図１】
2006067175.tif 000003
【図２−１】
2006067175.tif 000004
【図２−２】
2006067175.tif 000005
【図３】
2006067175.tif 000006
【図４】
2006067175.tif 000007
【図６】
2006067175.tif 000008
【図７】
2006067175.tif 000009
【図５】
2006067175.tif 000010